(57)【要約】【課題】開閉可能に回動する扉と手前側に引き出した商品陳列棚とがぶつかることを防止し、そのぶつかりが原因となって扉が割れたり扉にひびが入ったりすることを防止する。【解決手段】内部に商品陳列室を有して正面に開口を有する本体ケースと、本体ケースに取付けられ、商品陳列室内に位置する収容位置と少なくとも一部が開口から商品陳列室外に引き出される引出位置との間で前後右方にスライド可能な商品陳列棚と、本体ケースに取付けられ、開口を閉止する閉止位置と、開口を開放するとともに商品陳列棚が引出位置にスライドすることを許容する開放位置との間で回動可能な扉１４と、本体ケースに取付けられ、開放位置に回動した扉１４をその開放位置で固定する扉ストッパー１５とを有する。【選択図】図４
2018015084.tif 000002
【特許請求の範囲】
【請求項１】
内部に商品陳列室を有して正面に開口を有する本体ケースと、
前記本体ケースに取付けられ、前記商品陳列室内に位置する収容位置と少なくとも一部が前記開口から前記商品陳列室外に引き出される引出位置との間で前後右方にスライド可能な商品陳列棚と、
前記本体ケースに取付けられ、前記開口を閉止する閉止位置と、前記開口を開放するとともに前記商品陳列棚が引出位置にスライドすることを許容する開放位置との間で回動可能な扉と、
前記本体ケースに取付けられ、前記開放位置に回動した前記扉をその開放位置で固定する扉ストッパーと、
を有することを特徴とするリーチインショーケース。
【請求項２】
前記扉ストッパーは、前記開放位置に回動した前記扉をその開放位置で固定する固定位置と、前記扉の開放位置での固定を解除して前記扉が閉止位置に回動することを許容する固定解除位置とに回動可能に設けられていることを特徴とする請求項１記載のリーチインショーケース。
【請求項３】
前記本体ケースに、固定解除位置に回動した前記扉ストッパーを吸着するマグネットが設けられていることを特徴とする請求項２記載のリーチインショーケース。
【請求項４】
前記扉ストッパーが固定位置に位置することを検知する検知手段と、前記検知手段による検知が所定時間継続したことを判断する判断手段と、前記判断手段による判断結果に基づいて警報を発する警報部とを有することを特徴とする請求項２又は３記載のリーチインショーケース。
【発明の詳細な説明】
【技術分野】
【０００１】
本発明は、閉止位置と開放位置との間で回動する扉を備えたリーチインショーケースに関する。
【背景技術】
【０００２】
従来、スーパーマーケットやコンビニエンスストア等の店舗では、内部に商品陳列室を有し、この商品陳列室内に冷凍食品やアイスクリーム、飲料水等の商品を陳列するリーチインショーケースが使用されている。このようなリーチインショーケースとしては、商品陳列室を閉止する閉止位置と商品陳列室を開放する開放位置との間で回動する構造の扉を備えたものが普及している。この扉は、商品陳列室内に陳列されている商品を外部から見ることができるようにするため、透明なガラスで形成されていることが一般的である。
【０００３】
さらに、このようなリーチインショーケースの中には、下記特許文献１に記載されているように、商品陳列室内に設けられている商品陳列棚を前後方向にスライド可能とし、商品陳列棚の上に商品を陳列する場合には商品陳列棚を手前側にスライドさせ、商品陳列棚上へ商品を陳列する作業を容易に行えるようにしたものが知られている。
【先行技術文献】
【特許文献】
【０００４】
【特許文献１】特開２０１１−１５２１８６号公報
【発明の概要】
【発明が解決しようとする課題】
【０００５】
しかしながら、特許文献１に記載されているリーチインショーケースでは、商品陳列棚を手前側にスライドさせる場合、扉が十分に開放されていないと、手前側に引き出した商品陳列棚が扉にぶつかり、扉が割れたり扉にひびが入ったりすることがある。また、扉を十分に開放して商品陳列棚を手前側に引き出している場合において、扉が閉止位置の方向に回動することにより商品陳列棚にぶつかり、扉が割れたり扉にひびが入ったりすることがある。
【０００６】
本発明は、このような課題を解決するためになされたものであり、その目的は、手前側に引き出した商品陳列棚と扉とがぶつかることを防止し、扉が割れたり扉にひびが入ったりすることを防止することができるリーチインショーケースを提供することである。
【課題を解決するための手段】
【０００７】
本発明に係るリーチインショーケースは、内部に商品陳列室を有して正面に開口を有する本体ケースと、前記本体ケースに取付けられ、前記商品陳列室内に位置する収容位置と少なくとも一部が前記開口から前記商品陳列室外に引き出される引出位置との間で前後右方にスライド可能な商品陳列棚と、前記本体ケースに取付けられ、前記開口を閉止する閉止位置と、前記開口を開放するとともに前記商品陳列棚が引出位置にスライドすることを許容する開放位置との間で回動可能な扉と、前記本体ケースに取付けられ、前記開放位置に回動した前記扉をその開放位置で固定する扉ストッパーと、を有する。
【０００８】
また、前記扉ストッパーは、前記開放位置に回動した前記扉をその開放位置で固定する固定位置と、前記扉の開放位置での固定を解除して前記扉が閉止位置に回動することを許容する固定解除位置とに回動可能に設けられていることが望ましい。
【０００９】
また、前記本体ケースに、固定解除位置に回動した前記扉ストッパーを吸着するマグネットが設けられていることが望ましい。
【００１０】
また、前記扉ストッパーが固定位置に位置することを検知する検知手段と、前記検知手段による検知が所定時間継続したことを判断する判断手段と、前記判断手段による判断結果に基づいて警報を発する警報部とを有することが望ましい。
【発明の効果】
【００１１】
扉を開放位置に回動させ、開放位置に位置する扉を扉ストッパーで固定することにより、商品陳列棚を引出位置に引き出す場合に商品陳列棚が扉にぶつかることを防止することができる。また、開放位置に回動させた扉を扉ストッパーで固定することにより、扉が閉止位置に向けて回動することを防止できるとともに回動する扉が引出位置に位置する商品陳列棚にぶつかることを防止することができる。したがって、商品陳列棚と扉とがぶつかることによって扉が割れたり扉にひびが入ったりすることを防止することができる。
【００１２】
また、扉を開放位置で固定することと、その固定を解除して扉を閉止位置に回動可能とすることとの切換えを、扉ストッパーを固定位置又は固定解除位置に回動させることにより容易に行うことができる。
【００１３】
また、固定解除位置に回動している扉ストッパーはマグネットにより吸着されているので、固定解除位置に回動している扉ストッパーを確実に固定解除位置で保持することができ、及び、固定解除位置に保持されている扉ストッパーを簡単に固定位置に回動させることができる。
【００１４】
また、扉ストッパーが固定位置に位置することを検知手段が検知し、検知手段による検知が所定時間継続したことが判断手段により判断された場合には、警報部から警報が発せられる。このため、開放位置に回動されて扉ストッパーにより固定されて開放状態となった扉が開放状態のまま所定時間以上放置されることを防止することができ、扉が開放状態のまま所定時間以上放置されることが原因となって発生する、商品陳列室内の温度上昇、商品陳列棚上の商品の温度上昇による劣化、商品陳列室内への水分の流入による着霜の発生を防止することができる。
【図面の簡単な説明】
【００１５】
【図１】本発明の一実施形態のリーチインショーケースを示す正面図である。
【図２】リーチインショーケースを示す断面側面図である。
【図３】扉ストッパーの取付構造を示す正面図である。
【図４】扉ストッパーの取付構造を示す断面側面図である。
【発明を実施するための形態】
【００１６】
本発明の一実施形態について、図面に基づいて説明する。図１はリーチインショーケース１を示す正面図であり、図２はリーチインショーケース１を示す側面断面図である。このリーチインショーケース１は、内部に商品陳列室２を有して正面に開口３を有する断熱材により形成された本体ケース４を有している。
【００１７】
本体ケース４の内部には、底面板５と背面板６と天井板７とが設けられ、これらの底面板５と背面板６と天井板７とに囲まれた領域が商品陳列室２とされている。また、これらの底面板５、背面板６、天井板７と本体ケース４の内周面との間には、冷気が流れるダクト８が形成されている。ダクト８内における天井板７の上部には、冷気を発生させる冷却器９と、冷気を送風するファン１０とが設置されている。ダクト８の上部側前端部には、冷気が下向きに吹き出す冷気吹出口１１が設けられ、ダクト８の下部側前端部には冷気吹出口１１から吹き出した冷気がダクト８内に吸込まれる冷気吸込口１２が設けられている。
【００１８】
商品陳列室２内には、複数段の商品陳列棚１３が上下方向に配列されており、これらの商品陳列棚１３は背面板６に取付けられている。また、各商品陳列棚１３は、背面板６に取付けられた保持部１３ａと、保持部１３ａに前後方向スライド可能に取付けられて商品が陳列される部分であるスライド部１３ｂとを有している。スライド部１３ｂは、商品陳列室２内に位置する収容位置と、スライド部１３ｂの先端部が開口３から商品陳列室２外に引き出される引出位置との間でスライド可能とされている。
【００１９】
本体ケース４の正面側には、開口３を閉止する閉止位置と、開口３を開放するとともにスライド部１３ｂが引出位置にスライドすることを許容する開放位置との間で回動可能な扉であるガラス扉１４が取付けられている。
【００２０】
本体ケース４の正面側であってガラス扉１４の上方位置には、扉ストッパー１５が取付けられている。この扉ストッパー１５は、開放位置に回動したガラス扉１４をその開放位置で固定する固定位置と、ガラス扉１４の開放位置での固定を解除してガラス扉１４が閉止位置に回動することを許容する固定解除位置とに回動可能に設けられている。
【００２１】
図３は扉ストッパー１５の取付状態を示す正面図であり、図４は扉ストッパー１５の取付状態を示す断面側面図である。これらの図３及び図４に示すように、扉ストッパー１５は、板状鉄板をＬ字型に折り曲げて形成されており、Ｌ字型に屈曲した側の両側には取付片１６が折曲形成されている。取付片１６には段付ビス１７が挿通され、段付ビス１７のビス部が本体ケース４に螺合されることにより扉ストッパー１５は段付ビス１７を中心として回動可能とされている。
【００２２】
図３及び図４において実線で示した扉ストッパー１５は、固定解除位置に回動している状態であり、図４において仮想線で示した扉ストッパー１５は、固定位置に回動している状態である。扉ストッパー１５が固定位置に回動している場合、開放位置に回動したガラス扉１４の縁部が扉ストッパー１５の側面に当接し、ガラス扉１４が閉止位置に回動することが防止される。また、扉ストッパー１５の先端部には、この扉ストッパー１５を固定解除位置と固定位置との間で回動操作する場合に手をかけるための取手部１８が折曲形成されている。
【００２３】
本体ケース４には、取付片１９がビス２０により固定されている。この取付片１９には、マグネット２１と検知手段である近接センサ２２とが取付けられている。
【００２４】
マグネット２１は、扉ストッパー１５が実線で示す固定解除位置に回動している場合、扉ストッパー１５を吸着して保持するようになっている。
【００２５】
扉ストッパー１５にはマグネット２３が取付けられており、扉ストッパー１５が固定位置に回動している場合、図４の仮想線で示すようにマグネット２３が近接センサ２２に近接する。近接センサ２２は、マグネット２３が近接していること、即ち、扉ストッパー１５が固定位置に回動していることを検知する。一方、扉ストッパー１５が固定解除位置に回動している場合には、図４の実線で示すようにマグネット２３が近接センサ２２から離反している。
【００２６】
近接センサ２２は判断部（図示せず）に接続されており、判断部はマグネット２３が近接センサ２２に近接した状態が所定時間継続したことを判断する。判断部には警報部２４が接続されており、警報部２４は、判断部においてマグネット２３が近接センサ２２に近接した状態が所定時間継続した場合に警報を発する。警報部２４は、図１に示すように本体ケース４における扉ストッパー１５の上方位置に設けられている。
【００２７】
このような構成において、このリーチインショーケース１では、商品陳列棚１３に商品を陳列する場合、ガラス扉１４を開放位置へ回動させ、スライド部１３ｂを図２において仮想線で示す引出位置にスライドさせた状態で行っている。
【００２８】
商品陳列のためにガラス扉１４を開放位置へ回動させた場合には、図４において実線で示す固定解除位置に位置している扉ストッパー１５を、図４において仮想線で示す固定位置に回動させる。固定解除位置に位置している扉ストッパー１５はマグネット２１により吸着されており、取手部１８に手を掛けて扉ストッパー１５を下向きに回動させる方向に力を加えることにより、扉ストッパー１５は段付ビス１７を中心として固定位置に回動する。したがって、固定解除位置に回動している扉ストッパー１５を確実に固定解除位置で保持することができ、及び、固定解除位置に保持されている扉ストッパー１５を簡単に固定位置に回動させることができる。
【００２９】
扉ストッパー１５が固定位置に回動することにより、開放位置に回動しているガラス扉１４の縁部が扉ストッパー１５の側面に当接し、ガラス扉１４が閉止位置に回動することが防止される。また、ガラス扉１４の開放位置は、スライド部１３ｂが引出位置にスライドすることを許容する位置とされている。このため、ガラス扉１４を開放位置に回動させ、扉ストッパー１５を固定位置に回動させた状態においては、スライド部１３ｂを引出位置に引き出す場合にスライド部１３ｂがガラス扉１４にぶつかることが防止される。このため、引出位置に引き出すスライド部１３ｂがガラス扉１４にぶつかり、ガラス扉１４が割れたりガラス扉１４にひびが入ったりすることを防止することができる。
【００３０】
また、開放位置に位置しているガラス扉１４は、扉ストッパー１５により閉止位置の方向に回動することが防止される。このため、開放位置に位置するガラス扉１４が閉止位置の方向に回動して引出位置に位置しているスライド部１３ｂにぶつかることが防止され、ガラス扉１４がスライド部１３ｂにぶつかって割れたりひびが入ったりすることを防止することができる。
【００３１】
扉ストッパー１５が固定位置に回動した場合、図４の仮想線で示すように、扉ストッパー１５に取付けられているマグネット２３が近接センサ２２に近接し、近接センサ２２により扉ストッパー１５が固定位置に回動していることが検知される。そして、近接センサ２２は判断部に接続されており、判断部において扉ストッパー１５が固定位置に位置する時間が計測される。そして、扉ストッパー１５が固定位置に位置する状態が所定時間継続した場合には、警報部２４から警報が発せられる。即ち、ガラス扉１４を開放位置へ回動させ、扉ストッパー１５を固定位置に回動させた状態で行う商品陳列棚１３への商品の陳列作業時において、ガラス扉１４が開放状態のまま長時間放置された場合に対する警告を出すことができ、ガラス扉１４が長時間開放されることにより生じる商品陳列室２内の温度上昇、商品陳列棚１３上の商品の温度上昇による劣化、商品陳列室２内へ水分が流入することによる着霜の発生を防止することができる。
【００３２】
なお、本実施の形態では、扉の一例としてガラス扉１４を例に挙げて説明したが、この扉の材質としては、硬度と透明性とを有するのであればガラスに限定されず、アクリル等も使用することができる。
【符号の説明】
【００３３】
１    リーチインショーケース
２    商品陳列室
３    開口
４    本体ケース
５    底面板
６    背面板
７    天井板
８    ダクト
９    冷却器
１０    ファン
１１    冷気吹出口
１２    冷気吸込口
１３    商品陳列棚
１３ａ  保持部
１３ｂ  スライド部
１４    ガラス扉（扉）
１５    扉ストッパー
１６    取付片
１７    段付ビス
１８    取手部
１９    取付片
２０    ビス
２１    マグネット
２２    近接センサ
２３    マグネット
２４    警報部
【図１】
2018015084.tif 000003
【図２】
2018015084.tif 000004
【図３】
2018015084.tif 000005
【図４】
2018015084.tif 000006